(57)【要約】【課題】光学系に付着した塵や埃などの付着物を除去し、画質の低下を抑えることができる画像読み取り装置の付着物除去方法、および画像読み取り装置を提供すること。【解決手段】キャリッジ１０は、キャリッジフレーム１８の副走査方向往動側の面からミラー１３の長手方向の一端側付近に繋がる、中空状の空気導入路１００、およびミラー１３の他端側付近からキャリッジフレーム１８の復動側の面に繋がる、中空状の空気排出路１１０を有している。キャリッジ往動時には、往動側空間７０において圧縮された空気が空気導入路１００を通じてミラー１３に向けて流出することにより、ミラー１３に付着した塵や埃などの付着物を除去する。【選択図】図５
2007134761.tif 000002
【特許請求の範囲】
【請求項１】
原稿面にセットされた原稿の像を結像させる光学系、又は前記光学系により結像した像
から画像信号を生成する撮像素子に付着した付着物を除去する画像読み取り装置の付着物
除去方法であって、
所定の空間の内外で空気の交換を制限する内部フレームの内部において、前記光学系又
は前記撮像素子の少なくとも一方を収容するキャリッジを前記原稿面に沿った所定の方向
に移動させることにより前記内部フレームの内部の空気を圧縮し、前記圧縮された空気を
前記キャリッジの内部に導入することを特徴とする付着物除去方法。
【請求項２】
原稿面にセットされた原稿の像を結像させる光学系、又は前記光学系により結像した像
から画像信号を生成する撮像素子に付着した付着物を除去する画像読み取り装置であって
、
所定の空間の内外で空気の交換を制限する内部フレームと、
前記内部フレームの内部において、前記光学系又は前記撮像素子の少なくとも一方を内
部に収容するキャリッジを前記原稿面に沿った所定の方向に移動させることにより、前記
内部フレームの内部の空気を圧縮するキャリッジ移動手段と、
前記内部フレームの内部の空気を前記キャリッジの内部に導入する空気導入路と、を備
えることを特徴とする画像読み取り装置。
【請求項３】
請求項２に記載の画像読み取り装置であって、
前記内部フレームは、前記キャリッジを前記移動方向に挟んで互いに空気の交換が制限
された２つの空間を形成するように配設され、
前記空気導入路は、２つの空間のうち移動方向側にある空間から空気を導入することを
特徴とする画像読み取り装置。
【請求項４】
請求項２又は３に記載の画像読み取り装置であって、
前記空気導入路は、前記キャリッジの内部に導入した空気を、前記キャリッジが収容す
る前記光学系又は前記撮像素子の少なくとも一方に向けて流出することを特徴とする画像
読み取り装置。
【請求項５】
請求項２乃至４のいずれか一項に記載の画像読み取り装置であって、
前記空気導入路は、当該空気導入路を通る空気に含まれる塵や埃を除去する除去手段を
有することを特徴とする画像読み取り装置。
【請求項６】
請求項２乃至５のいずれか一項に記載の画像読み取り装置であって、
前記空気導入路は、流出側の一端にノズルを有することを特徴とする画像読み取り装置
。
【請求項７】
請求項２乃至６のいずれか一項に記載の画像読み取り装置であって、
前記キャリッジは、前記キャリッジ内で前記付着物を除去した空気を前記キャリッジの
外部に排出する空気排出路を、さらに有することを特徴とする画像読み取り装置。
【請求項８】
請求項７に記載の画像読み取り装置であって、
前記キャリッジは、前記空気排出路から前記空気導入路に流れる逆流を抑止する逆止弁
を有することを特徴とする画像読み取り装置。
【発明の詳細な説明】
【技術分野】
【０００１】
光学系・撮像素子を内部に有するキャリッジを移動させて、原稿を読み取る画像読み取
り装置に関する。
【背景技術】
【０００２】
従来、フラットヘッドスキャナなどの画像読み取り装置では、ランプ、ミラー・レンズ
などの光学系、ラインセンサを収容したキャリッジを原稿面に沿って移動させることによ
り、２次元画像を読み取っている。したがって、ラインセンサや光学系に塵や埃が付着し
た場合には、読み取った画像の画質が低下してしまう。
【０００３】
そこで、キャリッジに空気の吸入口および排出口を開閉可能に設けて、キャリッジを移
動させていないときには、吸入口および排出口を閉じることで、キャリッジ内への塵や埃
の侵入を防ぐことがある（例えば、特許文献１参照）。また、特許文献１の技術によれば
、キャリッジを移動させるときには吸入口および排出口を開けて、キャリッジ内に流入す
る気流によりキャリッジ内の冷却を行っている。
【０００４】
【特許文献１】特開平６−２１４３１７号公報（第５頁、図１参照）
【発明の開示】
【発明が解決しようとする課題】
【０００５】
しかしながら、特許文献１に記載の技術は、塵や埃などの付着物を除去するものではな
い。また、走査時にキャリッジ内に流入する気流により塵や埃を除去しようとしても、キ
ャリッジの走査速度程度の流速しか得ることができないので、付着した塵や埃を除去する
ことは困難である。
【０００６】
そこで、本発明は、光学系に付着した塵や埃などの付着物を除去し、画質の低下を抑え
ることができる画像読み取り装置の付着物除去方法、および画像読み取り装置を提供する
ことを目的とする。
【課題を解決するための手段】
【０００７】
上記課題を解決するために、本発明の画像読み取り装置の付着物除去方法は、原稿面に
セットされた原稿の像を結像させる光学系、又は光学系により結像した像から画像信号を
生成する撮像素子に付着した付着物を除去する画像読み取り装置の付着物除去方法であっ
て、所定の空間の内外で空気の交換を制限する内部フレームの内部において、光学系又は
撮像素子の少なくとも一方を収容するキャリッジを原稿面に沿った所定の方向に移動させ
ることにより内部フレームの内部の空気を圧縮し、圧縮された空気をキャリッジの内部に
導入することを特徴とする。
【０００８】
本発明の画像読み取り装置は、原稿面にセットされた原稿の像を結像させる光学系、又
は光学系により結像した像から画像信号を生成する撮像素子に付着した付着物を除去する
画像読み取り装置であって、所定の空間の内外で空気の交換を制限する内部フレームと、
内部フレームの内部において、光学系又は撮像素子の少なくとも一方を内部に収容するキ
ャリッジを原稿面に沿った所定の方向に移動させることにより、内部フレームの内部の空
気を圧縮するキャリッジ移動手段と、内部フレームの内部の空気をキャリッジの内部に導
入する空気導入路と、を備えることを特徴とする。
【０００９】
これらの構成によれば、内部フレームにより空気の交換が制限された空間の内部におい
てキャリッジを移動することにより内部フレーム内部の移動方向側の空気が圧縮される。
圧縮された空気を空気導入路からキャリッジの内部に導入することにより、キャリッジ内
部に流速を高めた気流が発生するので、キャリッジに収容された光学系や撮像素子に付着
した塵・埃などの付着物を除去することができる。したがって、付着物による画像の画質
の低下を抑えることができる。
【００１０】
なお、本発明によれば、圧縮した空気をキャリッジ内に導入してキャリッジに流れる気
流の流速を高めるようにしているので、特許文献１に記載の技術に比べて、より効果的に
付着物を除去することができる。
【００１１】
ここで、内部フレームは、キャリッジを移動方向に挟んで互いに空気の交換が制限され
た２つの空間を形成するように配設され、空気導入路は、２つの空間のうち移動方向側に
ある空間から空気を導入することが好ましい。
【００１２】
このようにすれば、キャリッジを挟んだ２つの空間の間で空気の交換が制限されている
ので、キャリッジが移動することにより、移動方向側にある空間内の空気が圧縮される。
移動方向側の空間から空気を導入することにより、付着物を効果的に除去することができ
る。
【００１３】
ここで、空気導入路は、キャリッジの内部に導入した空気を、キャリッジが収容する光
学系又は撮像素子の少なくとも一方に向けて流出することが好ましい。
【００１４】
このようにすれば、キャリッジの移動により圧縮された空気が、光学系又は撮像素子の
少なくとも一方に向けて流出するので、光学系や撮像素子に付着した付着物をより効果的
に除去することができる。
【００１５】
ここで、空気導入路は、当該空気導入路を通る空気に含まれる塵や埃を除去する除去手
段を有することが好ましい。
【００１６】
このようにすれば、空気導入路を通る空気は塵・埃が除去されるので、空気中の塵・埃
がキャリッジ内部の光学系や撮像素子に付着する可能性が低減する。したがって、塵・埃
などの付着物が除去された清浄な状態を保つことができる。
【００１７】
ここで、空気導入路は、流出側の一端にノズルを有することが好ましい。
【００１８】
このようにすれば、光学系や撮像素子に向けて流出する気流の流速がノズルによりさら
に高まるので、より効果的に付着物を除去することができる。
【００１９】
ここで、キャリッジは、キャリッジ内で付着物を除去した空気をキャリッジの外部に排
出する空気排出路を、さらに有することが好ましい。
【００２０】
このようにすれば、除去した付着物を含む空気はキャリッジの外部に排出されるので、
塵・埃を除去した清浄な状態をより確実に保つことができる。
【００２１】
ここで、キャリッジは、空気排出路から空気導入路に流れる逆流を抑止する逆止弁を有
することが好ましい。
【００２２】
このようにすれば、逆止弁が空気排出路から空気導入路に流れる逆流の発生を抑えるこ
とにより、逆流によりいったん除去した付着物がキャリッジ内に取り入れられて、光学系
又は撮像素子に再付着することを防ぐことができる。
【発明を実施するための最良の形態】
【００２３】
（第１の実施形態）
以下、本発明に係る一実施形態について図面を参照して説明する。
【００２４】
図１は、本発明に係るスキャナの構成を示した図である。スキャナ１は、原稿面に対し
て平行に往復移動するキャリッジ１０を備えるフラットヘッド型の画像読み取り装置であ
る。図１に示すように、スキャナ１は、原稿を読み取るための各種素子などを有するキャ
リッジ１０と、キャリッジ１０の移動を所定の方向に規制するガイドロッド２０と、ガイ
ドロッド２０を両端から支持する支持フレーム３０と、キャリッジ１０を往復移動させる
キャリッジ移動機構４０と、キャリッジ１０およびキャリッジ移動機構４０などを制御す
る制御基板５０と、を備えている。また、これらの各構成は、ケースユニット６０に収納
されている。図１は、ケースユニット６０の原稿面側部分を切り取って、原稿面側からケ
ースユニット６０の内部を見た状態を示している。
【００２５】
なお、図１に示すように、ガイドロッド２０に規制されてキャリッジが移動される方向
を「副走査方向」、副走査方向に垂直な方向を「主走査方向」として、副走査方向の制御
基板５０の反対側を「往動側」、副走査方向の制御基板５０側を「復動側」という。また
、スキャナ１の原稿面側を上側、原稿面反対側を下側という。
【００２６】
図２は、スキャナを側面から見たときの構成を示した側面図である。図２に示すように
、ケースユニット６０は、読み込み対象の原稿が載置される原稿面ガラス６１と、キャリ
ッジ１０が往復移動する空間を囲むようにして原稿面ガラス６１の下面側に設けられた内
部フレーム６２と、原稿面ガラス６１を支持すると共に内部フレーム６２に上から被さる
ようにして、スキャナ１の外装を構成する外装ケース６３と、を備えている。また、外装
ケース６３には、色校正のために用いる白基準（図示なし）などが設けられている。なお
、本実施形態では内部フレーム６２は、内部フレーム６２内の空間を囲むことにより内部
フレーム６２内部と外部との空気の交換が発生しないようにしている。もっとも、スキャ
ナ１外部より接続されたケーブルなどの制御基板５０への接続のために内部フレーム６２
にわずかに隙間があり、内部フレーム６２内部と外部との空気の交換が制限された状態で
あってもよい。
【００２７】
また、図２に示すように、キャリッジ１０と内部フレーム６２との間には、上下方向に
わずかな隙間しかないので、内部フレーム６２内では、キャリッジ１０より往動側の往動
側空間７０と、復動側の復動側空間８０との空気の交換が制限されている。したがって、
キャリッジ１０が副走査方向往動側に移動すると往動側空間７０の体積が収縮するので往
動側空間７０内の空気が圧縮される。キャリッジ１０が副走査方向復動側に移動すると復
動側空間８０の空気が圧縮される。もっとも、キャリッジ１０と内部フレーム６２との隙
間にゴムなどの弾性体などを設けて隙間をなくするようにしてもよい。
【００２８】
キャリッジ１０は、主走査方向に沿って原稿面の幅に対応した横長の形状をしており、
主走査方向の一端でガイドロッド２０により摺動自在に支持されている。図３は、キャリ
ッジの内部構成を示した断面図であり、図１に示したキャリッジ１０を主走査方向に垂直
な面（図１のＡ−Ａ’）を切断した状態を示している。図３に示すように、キャリッジ１
０には、原稿を照射するランプ１１と、ＣＣＤやＣＭＯＳセンサなどのリニアセンサであ
るイメージセンサ１２と、イメージセンサ１２に原稿の像を結像させるミラー１３，１４
，１５および集光レンズ１６等の光学系と、Ａ／Ｄ変換器や増幅器などを有するＡＦＥ（
Analog Front End）１７と、これらの各構成を囲んで支持する箱状のキャリッジフレーム
１８と、を備えている。なお、本発明のスキャナ１は、本実施形態に限られることなく、
キャリッジ１０にイメージセンサ１２を収容しないミラー移動型の構成であってもよいし
、画像処理回路をキャリッジ１０に搭載した構成であってもよい。
【００２９】
また、図３に示すように、キャリッジフレーム１８は、主走査方向に原稿幅に対応した
横長形状の開口孔１９を有し、開口孔１９を通してランプ１１から原稿への光の照射およ
び原稿の反射光が光学系に取り込まれるようにしている。
【００３０】
図４は、キャリッジ１０を外装ケース６３の下面に平行な面（図３のＢ−Ｂ’）で切断
したときに、キャリッジ１０内部を原稿面側から見た状態を示している。図４に示すよう
に、キャリッジ１０は、キャリッジフレーム１８の副走査方向往動側の面からミラー１３
の一端に向けて繋がる中空状の空気導入路１００、およびミラー１３の他端側付近からキ
ャリッジフレーム１８の復動側の面に繋がる空気排出路１１０を有している。
【００３１】
空気導入路１００は、当該通路内に除去フィルタ１０１および空気の排出口にノズル１
０２を有している。除去フィルタ１０１は、空気導入路１００の通路断面全域を覆うよう
に設置され、空気導入路１００を流れる空気に混入する塵や埃などを除去する防塵フィル
タである。なお、図４に示すように、空気導入路１００の流路断面積は、キャリッジ１０
の副走査方向往動側の面積に比べて十分に小さい。
【００３２】
空気排出路１１０は、流出側に逆止弁１１１を有している。逆止弁１１１は、空気導入
路１００内の流れを堰き止めた状態から排気側に開閉可能な弁であり、具体的には、一端
を蝶番などにより回転自在に支持された板状の部材や、一端を空気導入路１００に支持さ
れた柔弾性を有するフィルムなどで構成されている。
【００３３】
キャリッジ移動機構４０は、支持フレーム３０に軸受けされた一対のプーリ４１，４２
と、制御基板５０からの制御に応じて駆動するモータ４３と、モータ４３の回転を減速し
てプーリ４１に伝達するギア４４と、プーリ４１，４２間に掛け渡され、一部がキャリッ
ジ１０に係止される駆動ベルト４５と、を備えている。したがって、制御基板５０からの
制御に応じてモータ４３が駆動すると、モータの回転は減速してプーリ４１に伝達される
。プーリ４１が回動して駆動ベルト４５が繰り出されると、駆動ベルト４５と共にキャリ
ッジ１０はガイドロッド２０に摺動しながら副走査方向に移動する。なお、図２に示す矢
印方向が、キャリッジ１０が往動側に移動するときのモータ４３、ギア４４、プーリ４１
の回転方向（正方向）であり、モータ４３が正方向の逆向きに回転すると、キャリッジ１
０は復動する。
【００３４】
制御基板５０には画像処理ＡＳＩＣ、電源回路、ＣＰＵ、制御回路、インターフェイス
回路などが設けられ、図１に示すように、フレキシブルフラットケーブル（以下、ＦＦＣ
という）５１によりキャリッジ１０のＡＦＥ１７と電気的に接続されている。画像処理Ａ
ＳＩＣはＡＦＥ１７からＦＦＣ５１を通じて転送される画像信号に基づいて、読み取り開
始前に白基準を読み取り取得した白基準データと、予め記憶された黒基準データとを比較
してイメージセンサ１２の素子ごとの感度バラツキや、ランプ１１の主走査方向の光量バ
ラツキを補正するシェーディング補正、ガンマ補正、色補正などの処理を行う。電源回路
は、交流電圧を直流電圧に変換する回路である。ＣＰＵはＲＯＭに記録されたファームウ
ェアに基づいて画像処理ＡＳＩＣ、制御回路、インターフェイス回路を制御する。制御回
路は、ＣＰＵの出力に応じてモータ４３、ランプ１１などを制御する。インターフェイス
回路は、スキャナ１とホストコンピュータ（図示なし）との通信を確立する。
【００３５】
また、制御基板５０は、通常の読み取り動作においては、キャリッジ１０の往動時に原
稿の読み取り制御を行うため、読み取り制御を行うことなくキャリッジ１０の位置を元に
戻す復動時に比べて、キャリッジ１０の往動時の移動速度を遅く制御している。さらに、
制御基板５０は、後述する付着物の除去動作時におけるキャリッジ１０の往動時移動速度
は、通常の読み取り動作時の速度より速くなるように制御している。
【００３６】
以上、スキャナ１の構成について説明した。本スキャナ１は、光学系としてのミラー１
３に付着した塵や埃などの付着物を除去するものである。ホストコンピュータやスキャナ
に備わるスイッチをユーザが操作して、光学系に塵や埃などの付着物を除去する旨の命令
を受けると、制御基板５０は、以下に説明する付着物の除去動作を開始する。図５は、ミ
ラー１３に付着した付着物の除去動作を説明する模式図であり、図５（ａ）にはキャリッ
ジ１０が副走査方向往動側へ移動しているときの状態、図５（ｂ）にはキャリッジ１０が
副走査方向復動側へ移動しているときの状態を示している。なお、図５（ａ）では空気の
流れの概略を矢印にて示している。
【００３７】
まず、キャリッジ１０が副走査方向往動側に移動するときについて説明する。付着物除
去動作を開始すると、制御基板５０から転送された信号に応じてモータ４３が駆動し図２
の矢印方向に回転すると、モータ４３の回転がギア４４、プーリ４１に順に伝達して、プ
ーリ４１により繰り出された駆動ベルト４５とともにキャリッジ１０が通常の読み取り時
より速い速度で往動側に移動する。このとき、図５（ａ）に示すように、キャリッジフレ
ーム１８が往動側に移動するので、内部フレーム６２内のキャリッジ１０より往動側空間
７０内の空気が圧縮される。逆に、復動側空間８０内の空気は膨張する。往動側空間７０
内で圧縮された空気は、空気導入路１００に流入し、通路内の除去フィルタ１０１により
付着物が除去される。さらに逆止弁１１１を通ってから、ノズル１０２を通ることにより
流速を高めて、ミラー１３に向けて流出する。ミラー１３に流出した空気の流れはミラー
１３表面に付着した付着物を吹き飛ばしながら空気排出路１１０に抜け、吹き飛ばされた
付着物を含んだ空気が空気排出路１１０を通って内部フレーム６２内の復動側空間８０に
排出される。
【００３８】
次に、キャリッジ１０が副走査方向復動側に移動するときの動作について説明する。制
御基板５０から転送された信号に応じてモータ４３が駆動し図２の矢印の逆方向に回転す
ると、回転がギア４４、プーリ４１に順に伝達して、駆動ベルト４５とともにキャリッジ
１０が復動側に移動する。このとき、図５（ｂ）に示すように、キャリッジフレーム１８
が復動側に移動するので、内部フレーム内のキャリッジ１０より復動側空間８０内の空気
が圧縮され、往動側空間７０内の空気は膨張する。復動側空間８０内で圧縮された空気が
、空気排出路１１０からキャリッジ１０内部に流入して空気導入路１００に流れる流れ（
逆流）は逆止弁１１１の弁が閉じることで堰き止められる。
【００３９】
以下、第１の実施形態における効果を記載する。
【００４０】
（１）キャリッジ１０が移動することにより空気を圧縮して、ミラー１３に向けて流出
させるようにして、より高い流速の空気をミラー１３に吹き付けているので、ミラー１３
に付着した塵や埃などの付着物を効果的に除去することができる。したがって、付着物に
より、読み取った画像の画質低下を防ぐことができる。
【００４１】
（２）キャリッジ１０の移動を利用しているので、例えば、特許文献１に記載のように
シャッターの開閉などの制御を行う必要がない。そのため、簡易な構成により付着物の除
去を実現することができる。
【００４２】
（３）空気導入路１００にノズル１０２を設けることにより、ミラー１３に向けて流出
する流れの流速を高めたので、ミラーの付着物をより効果的に除去することができる。
【００４３】
（４）ミラー１３に吹き付ける空気は、除去フィルタ１０１により塵や埃を除去されて
いるので、塵・埃などの付着物が除去された清浄な状態を保つことができる。
【００４４】
（５）キャリッジ１０の復動時に、逆止弁１１１により除去された付着物を含んだ空気
が復動側空間８０から流入する逆流の発生を抑えているので、いったん除去した付着物を
含んだ空気が逆流して、付着物がミラー１３に再付着することを防ぐことができる。
【００４５】
（６）付着物が付着した場合にユーザからの命令を受けて、キャリッジ１０を通常時よ
り速く移動させて付着物の除去動作を行うようにしているので、除去する必要がないとき
には、通常の読み取り動作による遅い速度で移動する。通常の読み取り動作時にはキャリ
ッジ１０内に流入する気流の速度は遅くなるので、キャリッジ１０が往動する時には常に
キャリッジ内の空気を攪拌することで塵や埃がミラー１３に付着してしまう可能性が低減
する。
【００４６】
以上、本発明の一実施形態について説明したが、本発明はこうした実施の形態に何ら限
定されるものでなく、本発明の趣旨を逸脱しない範囲内において様々な形態で実施するこ
ともできる。以下、変形例を挙げて説明する。
【００４７】
（変形例１）第１の変形例では、ミラー１３の長手方向に沿って配設された空気導入路
２００により、圧縮された空気を吹き付ける。図６（ａ）に示すように、空気導入路２０
０は、ミラー１３の長手方向に沿って延在しており、ミラー１３に対向する位置には長手
方向に複数の貫通孔２０１を有している。また、図６（ｂ）に示すように、ミラー１３に
対して空気導入路２００の反対側に空気排出路２１０を設けている。このようにすれば、
キャリッジ１０が往動すると、長手方向に並ぶ複数の貫通孔２０１から流出する流れによ
り、長手方向に渡ってより均一に付着物を除去することができるので、読み取る画像の画
質の劣化を抑えることができる。
【００４８】
（変形例２）前記実施形態では、ミラー１３に付着した付着物を除去する一例について
説明したが、対象はこれに限られない。例えば、空気導入路１００からの流れを、キャリ
ッジ１０内のミラー１４，１５や集光レンズ１６やイメージセンサ１２などに吹き付け、
ミラー１４，１５や集光レンズ１６やイメージセンサ１２に付着した付着物を除去しても
よい。
【００４９】
（変形例３）前記実施形態では、キャリッジ１０の往動時に往動側空間７０より圧縮し
た空気をキャリッジ１０内に流入させる構成としたが、キャリッジ１０の復動時に復動側
空間８０より圧縮した空気を流入させる構成としてもよい。
【００５０】
（変形例４）空気排出路１１０からキャリッジ１０を通って空気導入路１００に抜ける
逆流を堰き止める逆止弁が備わる位置としては、空気導入路１００にあってもよいし、空
気排出路１１０を抜けた逆流をキャリッジ１０内で堰き止めるように位置していてもよい
。
【００５１】
（変形例５）前記実施形態では、ユーザからの指示により、付着物の除去動作を行う例
について説明したが、付着物を除去するタイミングとしては、これに限られない。例えば
、所定の時間ごとに除去動作を行うようにしてもよいし、スキャナ１の電源投入時に除去
動作を行うようにしてもよい。
【００５２】
（変形例６）空気導入路１００に、制御基板５０からの制御を受けて開閉する弁を設け
てもよい。例えば、キャリッジ１０の移動中に弁が閉じ、往動側空間７０内の圧力が所定
の値まで高まると、弁を開放するように制御する。このようにすれば、圧縮中の空気の抜
けが小さくなるので、往動側空間７０内の圧力が高まり、付着物をより効果的に除去する
ことができる。
【００５３】
（変形例７）本発明は、スキャナに限られることなく、複写機や、スキャナ機能を有し
たプリンタなどに適用することもできる。また、密着光学系を採用したＣＩＳ方式のスキ
ャナに適用することもできる。
【図面の簡単な説明】
【００５４】
【図１】本発明に係るスキャナの構成を示した図。
【図２】スキャナの構成を示した側面図。
【図３】キャリッジの内部構成を示した図。
【図４】キャリッジ内部を原稿面側から見た状態を示した図。
【図５】付着物の除去動作を説明する模式図。（ａ）はキャリッジが副走査方向往動側へ移動しているときの状態、（ｂ）はキャリッジ１０が副走査方向復動側へ移動しているときの状態を示した図。
【図６】第１の変形例に係るキャリッジを示した図。（ａ）はキャリッジを原稿面側から見た状態を示した図、（ｂ）はキャリッジの内部構成を示した図。
【符号の説明】
【００５５】
１…画像読み取り装置としてのスキャナ、１０…キャリッジ、１１…ランプ、１２…撮
像素子としてのイメージセンサ、１３，１４，１５…光学系としてのミラー、１６…集光
レンズ、１７…ＡＦＥ、１８…キャリッジフレーム、１９…開口孔、２０…ガイドロッド
、３０…支持フレーム、４０…キャリッジ移動手段としてのキャリッジ移動機構、４１，
４２…プーリ、４３…モータ、４４…ギア、４５…駆動ベルト、５０…制御基板、５１…
フレキシブルフラットケーブル、６０…ケースユニット、６１…原稿面ガラス、６２…内
部フレーム、６３…外装ケース、７０…往動側空間、８０…復動側空間、１００…空気導
入路、１０１…除去手段としての除去フィルタ、１０２…ノズル、１１０…空気排出路、
１１１…逆止弁、２００…空気導入路、２０１…貫通孔、２１０…空気排出路。
【図１】
2007134761.tif 000003
【図２】
2007134761.tif 000004
【図３】
2007134761.tif 000005
【図４】
2007134761.tif 000006
【図５】
2007134761.tif 000007
【図６】
2007134761.tif 000008